(57)【特許請求の範囲】
【請求項１】
イ）       
浮上袋本体（１）と、本体下部に重量物を支えられる揚重補強材（５）と浮上袋本体（１）の周囲に廻した揚重補強帯（２）との交点に揚重策（７）を設置できる揚重策設置穴（６）を設け、揚重策設置穴（６）に揚重策（７）を設け、
ロ）       
浮上袋本体（１）の前後面の下部に吸気バルブ（３）と自動排気バルブ（４）を設け、
ハ）      
揚重策（７）の先端には揚重金具（８）を設け、
ニ）      
水中で浮上袋本体（１）を水上のコンプレッサーの空気を圧縮空気送気ホース（１０）で繋がれた吸気バルブ（３）から空気を挿入して浮上袋本体（１）を膨らませて重量物を浮上させることを特徴とした浮上袋。  
【発明の詳細な説明】
【技術分野】
【０００１】
本発明は、埠頭や橋等から、誤って落ちた自動車などの重量物を水底から少ない人数で引き上げができる器具を提供するもので、人命救助、水底の整備、片付けなどの分野に力を発揮するものである。
【背景技術】
【０００２】
昨今、埠頭や河川にかかる橋から水中へ入水する自動車などがよく報じられます。沈んだ自動車を引き上げるのに、クレーンなどを頼み、来て貰うのに半日から１、２日掛かってしまいます。それでは車内にいる人を助けることが出来ないだろうと考え、乗用車にコンプレッサーと浮上袋が搭載されていれば、コンプレッサーと浮上袋を繋いで空気が入っていない浮上袋を持って水中に持って行き、水中で車の下部の車体に浮上袋を設置し、水面上より圧縮空気を水中へ送り込んで水中で膨らませることによって自動車などの重量物を浮上させる、そんな道具を探しましたが、見つからないので考案し、提供する事にある。
【先行技術文献】
【特許文献】
【０００３】
【特許文献１】特許出願２００３−２００５４６
【発明の概要】
【発明が解決しようとする課題】
【０００４】
埠頭や河川に自動車などの重量物が入水すると、緊急車の警察の車が来ても、引き上げることが出来ず、引き上げるにはクレーン車やクレーン船が来るまで引き上げることが出来ない報道を見るにつけ、緊急車の警察の車に入水した車を簡単に引き上げることが出来る簡易的な器具が合ったら、車内などに残されているよう救助者を少ない人数で水面まで持ち上げることが出来れば、救うことも出来るのではと、いろいろな器具を探しましたが、見つからなかった。そこで浮上袋を主用具としたシステムを提供するものである。
【課題を解決するための手段】
【０００５】
水底に沈んでいる車両などの重量物を陸上や水上で圧縮空気を水中に送り込んで引き上げる道具として浮上袋本体（１）とシステムを提供するものである。
【発明の効果】
【０００６】
水中に落ちた車などの重量物を埠頭や川岸から浮上袋システムセットを搭載した車両が来れば、クレーンやクレーン船を待つこともなく、浮上システムセットを泳ぎの達者な人が水底まで持って行き、沈んだ車や船などの重量物に水中で設置し、水上からコンプレッサーの圧縮空気を送気することで、水中の浮上袋が膨らんで、浮上しながら膨張する空気を自動排気しながら浮上させることが出来るので、比較的少人数で、時間を掛けずに水底から空気のある水上へ浮上袋を破裂させることなく持ち上げることが出来る.
【図面の簡単な説明】
【０００７】
【図１】浮上袋側面図
【図２】浮上袋背面図
【図３】浮上袋水底設置とシステム図
【図４】浮上袋で浮上途中図
【図５】浮上袋浮上図
【発明を実施するための形態】
【０００８】
気中よりしぼんだ浮上袋本体（１）をコンプレッサー搭載車（９）のコンプレッサーに繋いだ状態で水底に沈む車両などに人が浮上袋本体（１）持った状態で運び、水底に沈んでいる車両などの脇で浮上袋本体（１）を広げ、沈んでいる車両（１１）の車体に楊重金具（８）を引っ掛けて設置をし、コンプレッサーを搭載した気中の船舶や車両（９）より圧縮空気送気ホース（１０）で水底にセットした浮上袋本体（１）の吸気バルブ（３）より浮上袋本体（１）に空気を送って水中で膨らませ、沈んでいる車両（１１）などの重量物を浮上袋本体（１）の下方についている自動排気バルブ（４）で浮上袋本体（１）が破裂しないように空気を自動排気バルブ（４）で排気しながら浮上させる器具を提供するものである。
【０００９】
浮上袋の側面の構造は浮上袋本体（１）はテント生地やセール生地などの軽いく丈夫な素材で袋状にして、下方に袋の位置が方向づけられるように錘として、また、吊り上げる重量を支える役割を持つ楊重補強部材（５）が取り付けられ、物を袋で支えるための重量補強帯（２）を袋本体を覆う形で、帯状に設け、楊重補強材との交点に、楊重策取付穴（６）を貫通し、楊重策取付穴（６）に楊重策（７）を設け、楊重策(７)の下側に楊重金具（８）を設ける。
【００１０】
吸気バルブ（３）は自転車や自動車の吸気バルブを後部面の下側で吸気した空気は上方に溜まるので、吸気バルブが壊れても空気が抜けない位置に配置し、自動排気バルブ（４）は市販されているダイビングのドライスーツについている自動排気バルブを前後の面の下部に設け、浮上していくにつけて膨張する空気を水圧と空気圧の差で自動排出させるために設ける。
【産業上の利用可能性】
【００１１】
近頃では、埠頭や橋などから、自動車などの重量物が水中に落ちる事故などが相次いでニュースに取り上げられてます。
ニュースを見ると人が乗っている場合も有り、救難活動などの行為が行われ、クレーンなどで引き上げている場面を見ます。クレーンが呼び出されてくるのですから、少なくたって半日以上は掛かっているだろうと思われ、人が入っていた場合など救うことなど無理だろうと思われ、せめて緊急車である警察車両が来るぐらいの時間で水面に浮上させることが出来たなら、助かる命があるのではないかと考えました。
そこで、パトカーなどの普通乗用車に積める位の器具で、水面下に少ない人で持ち込め、設置できる器具があれば、自動車などの重量物が入水してから時間が掛からず沈んだ自動車などの重量物を浮上させることが出来る浮上袋を考案し、提供することに有り、救助に使え、船などの航行を妨げる沈殿物を浮上させ取り除けるので、重量運搬、搬出に使える。
また、津波などの被災に漁礁や沈んだ網、沈船などの引き上げるに漁船から圧縮空気を送り浮上させることが出来曳航で取り除ければ、漁業関係にも使用できる。
【符号の説明】
【００１２】
１、  浮上袋本体
２、重量補強帯布
３、吸気バルブ
４、自動排気バルブ
5、楊重補強部材
６、楊重策取付穴
７、楊重策
８、楊重金具
９、コンプレッサー搭載車
１０、圧縮空気送気ホース
１１、沈車
１２、浮上中の沈車
１３、浮上した沈車
【要約】      （修正有）【課題】自動車などの重量物が川や海に入水し沈むと、人力で引き上げることが出来ないので、少ない人数でも水中で設置し、水中で浮上袋を膨らませて重量物を浮上させる浮上袋システムを提供する。【解決手段】沈んだ自動車１１などの重量物の脇に空気が入っていない袋１を水中に持ち込で設置し、埠頭の車９や船上に備えたコンプレッサーより水中の浮上袋１に圧縮空気を送って、水中で浮上袋を膨らませることで、水面まで浮上させるに海水の減圧と浮上袋内の空気の増圧を排気バルブによって水中に空気を放出する機構を備え破裂することのない浮上袋を提供するものである。【選択図】図３【図１】
0005133452.tif 000002
【図２】
0005133452.tif 000003
【図３】
0005133452.tif 000004
【図４】
0005133452.tif 000005
【図５】
0005133452.tif 000006